(57)【要約】【課題】画像形成処理の実行中に定着系電源コードを介した定着ヒータへの電力供給が遮断された場合でも給紙済み用紙からのトナーの飛散を防止できるようにする。【解決手段】画像形成装置は、２本の電源コード６１，６２、ＤＣ電源６３、制御部６５、第１定着ヒータ２１、及び第２〜第４定着ヒータ２２〜２４を備える。ＤＣ電源６３及び第１定着ヒータ２１は、制御系電源コード６１に接続される。制御部６５は、ＤＣ電源６３に接続される。第２〜第４定着ヒータ２２〜２４は、定着系電源コード６２に接続される。制御部６５は、定着系電源コード６２を介した電力供給が遮断されたと判定した場合、第１定着ヒータ２１を駆動させることで給紙済み用紙への画像形成処理を行う。【選択図】図３
2013140253.tif 000002
【特許請求の範囲】
【請求項１】
交流電源からＡＣ電力をそれぞれ供給する複数の電源コードと、
前記複数の電源コードのうちの１本の制御系電源コードに接続され、前記交流電源からのＡＣ電力をＤＣ電力に変換して供給する直流電源と、
前記直流電源に接続された制御部と、
前記制御系電源コードに接続された少なくとも１個の第１群定着ヒータと、
前記複数の電源コードのうち前記制御系電源コード以外の１本以上の定着系電源コードのそれぞれに１個以上ずつ接続された１個以上の第２群定着ヒータと、
前記定着系電源コードを介して供給される電力の有無に応じた信号を出力する遮断検出部と、を備え、
前記制御部は、前記遮断検出部から入力する信号に基づいて全ての前記定着系電源コードを介した電力供給が遮断されたと判定した場合、前記第１群定着ヒータを駆動させることで給紙済み用紙への画像形成処理を行う、画像形成装置。
【請求項２】
前記第１群定着ヒータは、用紙の幅方向の全域を加熱する、請求項１に記載の画像形成装置。
【請求項３】
前記定着系電源コードのそれぞれには、複数の前記第２群定着ヒータが接続されている、請求項１又は２に記載の画像形成装置。
【請求項４】
前記第１群定着ヒータは単数備えられ、前記第１群定着ヒータの定格電流は、いずれの前記第２群定着ヒータの定格電流とも異なる、請求項１から３のいずれかに記載の画像形成装置。
【請求項５】
前記制御部は、予め設定された第１閾値枚数以上の用紙に連続して画像形成処理を行う印刷ジョブを実行する場合、前記定着系電源コードを介した電力供給が行われる通常時において前記第１群定着ヒータの駆動と停止とが第２閾値枚数毎に切り換えられる、請求項１から４のいずれかに記載の画像形成装置。
【発明の詳細な説明】
【技術分野】
【０００１】
この発明は、複数の電源コードを介してＡＣ電力を供給される画像形成装置に関する。
【背景技術】
【０００２】
近年、複写機、プリンタ、ファクシミリ、及びこれらを組み合わせた複合機など、電子写真プロセスを利用した画像形成装置の画像形成処理速度の高速化への要求の高まりに伴って、画像形成装置に搭載される定着ヒータのワット数やモータのワット数が増大し、画像形成装置の消費電力が増加する傾向にある。また、画像形成装置のカラー化や高精度化によっても高圧負荷やモータ負荷が増大し、消費電力がさらに増加する。
【０００３】
ところで、画像形成装置の電源である交流電源はコンセントの定格による規制があるので、画像形成装置はこの定格値以下で使用する必要がある。日本国内の一般的なオフィスでの通常使用できる電力の最大値は１５００Ｗであることから、一般的な１００Ｖのコンセントから交流電源の入力を１本の電源コードでとる場合、電流は１５Ａ以内に制限される。１５００Ｗ以上の電力を必要とする場合は、特別な電源工事が必要となる。
【０００４】
そこで、消費電力が大きい画像形成装置に対して、複数の電源コードを介して電力供給を行う構成が知られている（例えば、特許文献１参照。）。画像形成装置においては定着ヒータに特に大きな電力が必要とされるので、複数の電源コードのうち少なくとも１本の電源コードは、定着ヒータ専用の定着系電源コードとされることが多い。
【先行技術文献】
【特許文献】
【０００５】
【特許文献１】特開２００３−２４４８５３公報
【発明の概要】
【発明が解決しようとする課題】
【０００６】
しかし、画像形成処理の実行中に、ユーザが定着系電源コードに足を引っ掛けることや、複数の電源コードを互いにブレーカの異なるコンセントに繋いでいて定着系電源コードが繋がれたコンセントのブレーカが落ちたこと等によって、定着系電源コードを介した定着ヒータへの電力の供給が遮断された場合、すでに給紙済みの用紙に担持された未定着トナーが画像形成装置内に飛散する虞がある。未定着トナーが画像形成装置内に飛散すると、画像形成装置が損傷する虞がある。
【０００７】
この発明の目的は、画像形成処理の実行中に定着系電源コードを介した定着ヒータへの電力供給が遮断された場合でも給紙済み用紙からのトナーの飛散を防止できる画像形成装置を提供することにある。
【課題を解決するための手段】
【０００８】
この発明の画像形成装置は、複数の電源コード、直流電源、制御部、少なくとも１個の第１群定着ヒータ、１個以上の第２群定着ヒータ、及び遮断検出部を備える。電源コードは、交流電源からＡＣ電力をそれぞれ供給する。直流電源は、複数の電源コードのうちの１本の制御系電源コードに接続され、交流電源からのＡＣ電力をＤＣ電力に変換して供給する。制御部は、直流電源に接続される。第１群定着ヒータは、制御系電源コードに接続される。第２群定着ヒータは、複数の電源コードのうち制御系電源コード以外の１本以上の定着系電源コードのそれぞれに１個以上ずつ接続される。遮断検出部は、定着系電源コードを介して供給される電力の有無に応じた信号を出力する。制御部は、遮断検出部から入力する信号に基づいて全ての定着系電源コードを介した電力供給が遮断されたと判定した場合、第１群定着ヒータを駆動させることで給紙済み用紙への画像形成処理を行う。
【０００９】
この構成では、画像形成処理の実行中に定着系電源コードを介した第２群定着ヒータへの電力供給が遮断されるという異常が発生した場合、第１群定着ヒータを駆動させることで給紙済み用紙への画像形成処理を継続できる。このため、給紙済みであって未定着トナーを担持した用紙を、第１群定着ヒータによって加熱することができる。
【００１０】
上述の構成において、第１群定着ヒータは、用紙の幅方向の全域を加熱するように構成されることが好ましい。定着系電源コードを介した電力供給が遮断された場合でも、用紙の幅方向の全域のトナーを加熱することができる。よって、用紙の幅方向の全域のトナーの飛散を防止することができる。
【００１１】
また、定着系電源コードのそれぞれには、複数の第２群定着ヒータが接続されていることが好ましい。ウォームアップや画像形成処理等の画像形成装置の駆動状態に応じて用紙に対する単位時間当たりの加熱量の調整が容易になるとともに、単位時間当たりの加熱量を大きくして加熱速度を高くすることができる。
【００１２】
さらに、第１群定着ヒータは単数備えられ、第１群定着ヒータの定格電流は、いずれの第２群定着ヒータの定格電流とも異なることが好ましい。この構成によれば、定着系電源コードを介した電力供給が行われる通常時において、ウォームアップや画像形成処理等の画像形成装置の駆動状態に応じて、第１群定着ヒータ及び第２群定着ヒータを含む複数の定着ヒータによる合計の単位時間当たりの加熱量を調整しやすくなる。
【００１３】
また、制御部は、予め設定された第１閾値枚数以上の用紙に連続して画像形成処理を行う印刷ジョブを実行する場合、定着系電源コードを介した電力供給が行われる通常時において第１群定着ヒータの駆動と停止とが第２閾値枚数毎に切り換えられることが好ましい。この構成によれば、第１群定着ヒータの温度が所定値以上に維持されるので、画像形成処理の実行中に定着系電源コードを介した電力供給が遮断されるという異常が発生した場合でも、第１群定着ヒータを早急に所望温度に到達させることができる。このため、第１群定着ヒータを用いて画像形成処理を早急に継続することができる。
【発明の効果】
【００１４】
この発明によれば、画像形成処理の実行中に定着系電源コードを介した定着ヒータへの電力供給が遮断された場合でも給紙済み用紙からのトナーの飛散を防止することができる。
【図面の簡単な説明】
【００１５】
【図１】この発明の実施形態に係る画像形成装置の概略の構成図である。
【図２】定着装置の拡大図である。
【図３】画像形成装置の電源系のブロック図である。
【図４】制御部の処理手順の一例を示すフローチャートである。
【図５】動作モード毎の制御例を示す図である。
【発明を実施するための形態】
【００１６】
以下に、この発明の実施形態について、図面に基づいて説明する。図１に示すように、画像形成装置１００は、装置本体１１０、及び自動原稿搬送装置（ＡＤＦ:Automatic Document Feeder）１２０を備えている。画像形成装置１００は、原稿から生成した画像データ又は外部から入力した画像データに基づいて、用紙に多色又は単色の画像を形成する。用紙として、普通紙、印画紙、ＯＨＰフィルム等のシート状の記録媒体が挙げられる。
【００１７】
ＡＤＦ１２０は、装置本体１１０の上に配置され、背面側端部を装置本体１１０に軸支されることで前面側端部が上下方向に回動するように構成されている。
【００１８】
装置本体１１０は、画像読取部１３０、画像形成部１４０、及び給紙部１５０を備えている。
【００１９】
画像読取部１３０は、装置本体１１０の上部に配置されており、上面に第１原稿台１３１及び第２原稿台１３２を備えている。第１原稿台１３１及び第２原稿台１３２の上面は、ＡＤＦ１２０によって開閉自在にされている。固定原稿読取モード時に、画像読取部１３０は、第１原稿台１３１上に配置された原稿の画像を読み取って画像データを生成する。また、搬送原稿読取モード時に、ＡＤＦ１２０は、原稿積載トレイ１２１に収容された原稿を、第２原稿台１３２の上面を経由して原稿排出トレイ１２２へ至るように１枚ずつ搬送し、画像読取部１３０は、第２原稿台１３２の上面を経由する原稿の画像を読み取って画像データを生成する。
【００２０】
画像形成部１４０は、光走査装置３、４個の画像形成ステーション３０Ａ，３０Ｂ，３０Ｃ，３０Ｄ、中間転写ユニット４０、二次転写ユニット５０、定着装置７０、及び用紙排紙トレイ８５を備え、用紙に画像形成処理を行う。
【００２１】
中間転写ユニット４０は、中間転写ベルト４１、駆動ローラ４２、従動ローラ４３、及びテンションローラ４４を有している。中間転写ベルト４１は、駆動ローラ４２、従動ローラ４３、及びテンションローラ４４によって張架されてループ状の移動経路を形成している。
【００２２】
画像形成部１４０は、ブラック、並びに、カラー画像を色分解して得られる減法混色の３原色であるシアン、マゼンタ及びイエローの４色の各色相のトナー像を、画像形成ステーション３０Ａ〜３０Ｄにおいて形成する。画像形成ステーション３０Ａ〜３０Ｄは、中間転写ベルト４１の移動経路に沿って一列に配置されている。画像形成ステーション３０Ｂ〜３０Ｄは、画像形成ステーション３０Ａと実質的に同様に構成されている。
【００２３】
ブラックの画像形成ステーション３０Ａは、感光体ドラム１Ａ、帯電器２Ａ、現像装置４Ａ、一次転写ローラ５Ａ、及びクリーニングユニット６Ａを備えている。
【００２４】
感光体ドラム１Ａは、図示しない駆動源から駆動力を伝達されることで所定方向に回転する。帯電器２Ａは、感光体ドラム１Ａの周面を所定の電位に帯電させる。
【００２５】
光走査装置３は、ブラック、シアン、マゼンタ及びイエローの各色相の画像データによって変調されたレーザ光のそれぞれを、画像形成ステーション３０Ａ〜３０Ｄのそれぞれの感光体ドラム１Ａ，１Ｂ，１Ｃ，１Ｄに照射する。感光体ドラム１Ａ〜１Ｄの周面には、ブラック、シアン、マゼンタ及びイエローの各色相の画像データに基づく静電潜像がそれぞれ形成される。
【００２６】
現像装置４Ａは、感光体ドラム１Ａの周面に、画像形成ステーション３０Ａの色相であるブラックのトナーを供給し、静電潜像をトナー像に顕像化する。
【００２７】
中間転写ベルト４１の外周面は、感光体ドラム１Ａ〜１Ｄの周面に順に対向する。中間転写ベルト４１を挟んで感光体ドラム１Ａに対向する位置に、一次転写ローラ５Ａが配置されている。中間転写ベルト４１と感光体ドラム１Ａ〜１Ｄとが互いに対向する位置のそれぞれが、一次転写位置である。
【００２８】
一次転写ローラ５Ａには、トナーの帯電極性（例えば、マイナス）と逆極性（例えば、プラス）の一次転写バイアスが定電圧制御によって印加される。画像形成ステーション３０Ｂ〜３０Ｄにおいても同様である。これによって、感光体ドラム１Ａ〜１Ｄのそれぞれの周面に形成された各色相のトナー像が中間転写ベルト４１の外周面に順次重ねて一次転写され、中間転写ベルト４１の外周面にフルカラーのトナー像が形成される。
【００２９】
但し、ブラック、シアン、マゼンタ及びイエローの色相の一部のみの画像データが入力された場合は、４個の感光体ドラム１Ａ〜１Ｄのうち、入力された画像データの色相に対応する一部のみにおいて静電潜像及びトナー像の形成が行われ、一部の色相のトナー像のみが中間転写ベルト４１の外周面に一次転写される。
【００３０】
クリーニングユニット６Ａは、一次転写の後に感光体ドラム１Ａの周面に残留したトナーを回収する。
【００３１】
中間転写ベルト４１の外周面に一次転写されたトナー像は、中間転写ベルト４１の回転によって、中間転写ベルト４１と、二次転写ユニット５０に備えられた二次転写ローラ５１と、の対向位置である二次転写位置へ搬送される。
【００３２】
給紙部１５０は、給紙カセット８１、手差しトレイ８２、第１用紙搬送路８３、第２用紙搬送路８４、ピックアップローラ８６，８７、複数の搬送ローラ、及び排紙ローラ８８を備えている。
【００３３】
給紙カセット８１には、使用頻度の比較的高いサイズ及び種類の用紙が収容される。給紙カセット８１に収容された用紙は、ピックアップローラ８６によって給紙されることで、第１用紙搬送路８３へ１枚ずつ供給される。
【００３４】
手差しトレイ８２には、使用頻度の比較的低いサイズや種類の用紙が載置される。手差しトレイ８２に載置された用紙は、ピックアップローラ８７によって給紙されることで、第１用紙搬送路８３へ１枚ずつ供給される。
【００３５】
第１用紙搬送路８３は、給紙カセット８１及び手差しトレイ８２のそれぞれから二次転写位置及び定着装置７０を経由して用紙排紙トレイ８５へ至るように形成されている。第２用紙搬送路８４は、両面印刷用の用紙搬送路であり、一方の面に画像を形成された用紙が表裏を反転された状態で再び二次転写位置へ搬送されるように形成されている。複数の搬送ローラは、第１用紙搬送路８３及び第２用紙搬送路８４に沿って設けられ、用紙を搬送する。
【００３６】
二次転写ローラ５１は、中間転写ベルト４１を挟んで駆動ローラ４２に所定のニップ圧で圧接している。
【００３７】
給紙部１５０から給紙された用紙が二次転写位置を経由する際に、二次転写ローラ５１に、トナーの帯電極性（例えば、マイナス）と逆極性（例えば、プラス）の二次転写バイアスが定電圧制御によって印加され、これによって、中間転写ベルト４１の外周面に担持されたトナー像が、用紙に二次転写される。
【００３８】
トナー像が用紙に転写された後の中間転写ベルト４１上に残留したトナーは、中間転写ベルト用クリーニング装置４５によって回収される。
【００３９】
トナー像が転写された用紙は、定着装置７０へ導かれる。定着装置７０は、定着ローラ７１及び加圧ローラ７２を備え、定着ローラ７１と加圧ローラ７２との間を通過する用紙を加熱及び加圧することで、用紙にトナー像を定着させる。トナー像が定着した用紙は、トナー像が定着した面を下にして排紙ローラ８８によって用紙排紙トレイ８５上へ排出される。
【００４０】
図２に示すように、定着装置７０は、定着ローラ７１及び加圧ローラ７２の他に、加熱ローラ７３、定着ベルト７４、第１定着ヒータ２１、第２定着ヒータ２２、第３定着ヒータ２３、及び第４定着ヒータ２４を備えている。一例として、第１定着ヒータ２１、第２定着ヒータ２２、第３定着ヒータ２３、及び第４定着ヒータ２４として、ヒータランプがそれぞれ用いられる。
【００４１】
加圧ローラ７２は、定着ローラ７１に所定の圧力で圧接している。加熱ローラ７３は、所定の間隔をあけて定着ローラ７１に対向するように配置されている。定着ベルト７４は、定着ローラ７１と加熱ローラ７３とに張架されている。定着ローラ７１が回転することで、定着ベルト７４及び加熱ローラ７３も回転する。
【００４２】
第１定着ヒータ２１、第２定着ヒータ２２、及び第３定着ヒータ２３は、加熱ローラ７３を加熱する。一例として、第１定着ヒータ２１、第２定着ヒータ２２、及び第３定着ヒータ２３は、加熱ローラ７３に内蔵され、加熱ローラ７３の周面を内部から加熱する。また、第１定着ヒータ２１及び第２定着ヒータ２２は、加熱ローラ７３の軸方向即ち用紙の幅方向の全域を加熱するように構成されている。第３定着ヒータ２３は、加熱ローラ７３の軸方向の両端部を加熱するように構成されている。
【００４３】
第１定着ヒータ２１、第２定着ヒータ２２、及び第３定着ヒータ２３から発せられた熱は、加熱ローラ７３の外周面へ伝達され、さらに定着ベルト７４へ伝達されて定着ベルト７４が加熱される。定着ベルト７４が回転することで、定着ベルト７４の周方向の各部が順次加熱される。
【００４４】
第４定着ヒータ２４は、加圧ローラ７２を加熱する。一例として、第４定着ヒータ２４は、加圧ローラ７２に内蔵され、加圧ローラ７２の周面を内部から加熱する。また、第４定着ヒータ２４は、加圧ローラ７２の軸方向即ち用紙の幅方向の全域を加熱するように構成されている。
【００４５】
第４定着ヒータ２４から発せられた熱は、加圧ローラ７２の外周面へ伝達されて加圧ローラ７２の外周面が加熱される。
【００４６】
定着ローラ７１と加圧ローラ７２とが互いに圧接する定着位置を用紙が通過することで、用紙が加熱され、未定着のトナーが用紙に固着する。
【００４７】
図３に示すように、画像形成装置１００は、複数の電源コード６１，６２を介して交流電源（以下、ＡＣ電源という。）から交流電力（以下、ＡＣ電力という。）を供給される。この実施形態では、２本の電源コード６１，６２を介してＡＣ電源からＡＣ電力を供給される。
【００４８】
複数の電源コード６１，６２のうちの１本の制御系電源コード６１には、直流電源（以下、ＤＣ電源という。）６３、少なくとも１個の第１群定着ヒータ、及び第１遮断検出部６４が接続されている。この実施形態では、第１群定着ヒータとして、１個の第１定着ヒータ２１が制御系電源コード６１に接続されている。
【００４９】
ＤＣ電源６３には、制御部６５が接続されている。ＤＣ電源６３は、ＡＣ電源からのＡＣ電力をＤＣ電力に変換して制御部６５へ供給する。第１定着ヒータ２１は、ＡＣ電源からＡＣ電力を供給されることで、発熱する。
【００５０】
第１遮断検出部６４は、制御系電源コード６１を介して入力される電力の有無に応じた信号を出力する。一例として、第１遮断検出部６４は、制御系電源コード６１を介して供給されるＡＣ電力のゼロクロス信号を制御部６５へ出力する。制御部６５は、ゼロクロス信号が入力する間隔が所定時間より長くなった場合、制御系電源コード６１を介したＡＣ電力の供給が遮断されたと判定する。
【００５１】
ピックアップローラ８６，８７、複数の搬送ローラ、及び排紙ローラ８８を駆動させる図示しない駆動モータは、制御系電源コード６１を介して電力を供給される。
【００５２】
複数の電源コード６１，６２のうち制御系電源コード６１以外の１本以上の定着系電源コード６２のそれぞれに、１個以上ずつ第２群定着ヒータが接続されている。この実施形態では、定着系電源コード６２に、第２群定着ヒータとして、第２定着ヒータ２２、第３定着ヒータ２３、及び第４定着ヒータ２４が接続されている。
【００５３】
また、定着系電源コード６２には、第２遮断検出部６６が接続されている。第２遮断検出部６６は、定着系電源コード６２を介して入力される電力の有無に応じた信号を出力する。一例として、第１遮断検出部６４は、定着系電源コード６２を介して供給されるＡＣ電力のゼロクロス信号を制御部６５へ出力する。制御部６５は、ゼロクロス信号が入力する間隔が所定時間より長くなった場合、定着系電源コード６２を介したＡＣ電力の供給が遮断されたと判定する。
【００５４】
図４に示すように、定着装置７０は、ウォームアップモード、第１通常定着モード、第２通常定着モード、又はＡＣ遮断対応モードのいずれかの定着モードで動作する。ウォームアップモードは、画像形成装置１００の起動時や省電力モードからの復帰時等に実行される。第１通常定着モード及び第２通常定着モードは、制御系電源コード６１及び定着系電源コード６２を介した電力供給がともに行われている通常時に実行される。第１通常定着モードは、定着処理の実行時の主となる動作モードであり、予め設定された第１閾値枚数以上の用紙へ連続して画像形成処理を行う多数枚印刷ジョブの実行時には、第１通常定着モードと第２通常定着モードとが第２閾値枚数毎に交互に切り換えられる。ＡＣ遮断対応モードは、定着系電源コード６２を介した電力供給が遮断された場合に実行される。
【００５５】
定着ヒータ２１〜２４のそれぞれへ供給される電力値は、制御部６５によって定電圧制御される。一例として、第１定着ヒータ２１の定格電流は３Ａ、第２定着ヒータ２２の定格電流は７Ａ、第３定着ヒータ２３の定格電流は６Ａ、第４定着ヒータ２４の定格電流は３．５Ａであり、各定着モードにおいて次のように制御される。
【００５６】
ＤＣ電源６３には、ウォームアップモード実行時に４００Ｗが供給され、第１通常定着モード、第２通常定着モード、及びＡＣ遮断対応モードのそれぞれの実行時に７００Ｗが供給される。
【００５７】
第１定着ヒータ２１には、ウォームアップモード、第２通常定着モード及びＡＣ遮断対応モードのそれぞれの実行時に３００Ｗが供給され、第１通常定着モード実行時にＯＦＦされる。
【００５８】
第２定着ヒータ２２には、ウォームアップモード及び第２通常定着モード実行時に７００Ｗが供給され、第２通常定着モード実行時にＯＦＦされる。また、ＡＣ遮断対応モード実行時は、定着系電源コード６２を介した電力供給が遮断されているので、第２定着ヒータ２２へも電力供給されない。
【００５９】
第３定着ヒータ２３には、ウォームアップモード、第１通常定着モード、及び第２通常定着モードのそれぞれの実行時に６００Ｗが供給され、ＡＣ遮断対応モード実行時は第２定着ヒータ２２と同様に電力供給されない。
【００６０】
第４定着ヒータ２４には、ウォームアップモード及び第１通常定着モード実行時にＯＦＦされ、第２通常定着モード実行時に３５０Ｗが供給される。
【００６１】
多数枚印刷ジョブの実行時に、第１通常定着モードと第２通常定着モードとが第２閾値枚数毎に交互に切り換えられることで、第１定着ヒータ２１、第２定着ヒータ２２、及び第４定着ヒータ２４のそれぞれのＯＮとＯＦＦとが切り換えられる。これによって、画像形成処理の実行中、第１定着ヒータ２１、第２定着ヒータ２２、及び第４定着ヒータ２４のそれぞれの温度が所定値以上に維持される。また、画像形成処理の実行中に定着系電源コード６２を介した電力供給が遮断されるという異常が発生した場合でも、第１定着ヒータ２１を早急に所望温度に到達させることができる。このため、第１定着ヒータ２１を用いて画像形成処理を早急に継続することができる。
【００６２】
図５に示すように、制御部６５は、印刷ジョブが入力すると（Ｓ１）、第２遮断検出部６６から入力する信号に基づいて、定着系電源コード６２を介した電力供給が行われているか否かを判定し（Ｓ２）、定着系電源コード６２を介した電力供給が行われている場合は、第１通常定着モード及び第２通常定着モードを設定して（Ｓ３）、画像形成処理を実行する（Ｓ４）。制御部６５は、印刷ジョブが終了するまでＳ２〜Ｓ４の処理を繰り返し（Ｓ５）、印刷ジョブが終了すると次の印刷ジョブの入力を待機する。
【００６３】
制御部６５は、Ｓ２において、定着系電源コード６２を介した電力供給が遮断されたと判定した場合、給紙部１５０からの新たな給紙を停止し（Ｓ６）、ＡＣ遮断対応モードを設定して（Ｓ７）、給紙済み用紙に対する画像形成処理を実行する（Ｓ８）。
【００６４】
画像形成処理の実行中に定着系電源コード６２を介した定着ヒータ２２〜２４への電力供給が遮断されるという異常が発生した場合、ＡＣ遮断対応モードへ移行して第１定着ヒータ２１を駆動させることで、給紙済み用紙への画像形成処理を継続できる。このため、給紙済みであって未定着トナーを担持した用紙を、第１定着ヒータ２１によって加熱することができる。したがって、画像形成処理の実行中に定着系電源コード６２を介した定着ヒータ２２〜２４への電力供給が遮断された場合でも、給紙済み用紙からのトナーの飛散を防止することができる。なお、第１通常定着モード及び第２通常定着モード実行時に比較してＡＣ遮断対応モード実行時に用紙に対する加熱温度が多少低い場合でも、用紙からトナーが容易に飛散しない程度の熱量があれば、トナーの飛散を防止することができる。
【００６５】
制御部６５は、定着系電源コード６２を介した電力供給が遮断された旨のＡＣ遮断トラブル通知を行う（Ｓ９）。ＡＣ遮断トラブル通知の例として、図示しない表示部への文字や図形等による表示、警告灯の点灯、スピーカからの音声通知等が挙げられる。
【００６６】
制御部６５は、定着系電源コード６２を介した定着ヒータ２２〜２４への電力供給が遮断されたと判定した時点における給紙済み用紙が、用紙排紙トレイ８５へ排出されると（Ｓ１０）、搬送ローラ及び排紙ローラ８８による搬送を停止する（Ｓ１１）。
【００６７】
制御部６５は、第２遮断検出部６６から入力する信号に基づいて、定着系電源コード６２を介した定着ヒータ２２〜２４への電力供給が復帰したと判定した場合（Ｓ１２）、Ｓ２の処理へ戻る。定着系電源コード６２を介した定着ヒータ２２〜２４への電力供給が復帰する要因の例として、ユーザが定着系電源コード６２をＡＣ電源のコンセントへ挿すことや、ユーザが定着系電源コード６２のブレーカを復帰させることが挙げられる。
【００６８】
画像形成装置１００によれば、画像形成処理の実行中に定着系電源コード６２を介した定着ヒータ２２〜２４への電力供給が遮断された場合でも、給紙済み用紙からのトナーの飛散を防止することができる。したがって、トナーの飛散による画像形成装置１００の損傷を抑制することができる。
【００６９】
また、画像形成処理の実行中に定着系電源コード６２を介した定着ヒータ２２〜２４への電力供給が遮断された場合でも、給紙済み用紙への画像形成処理を継続して給紙済み用紙を用紙排紙トレイ８５へ排出するので、給紙済み用紙の用紙詰まりを防止することができる。したがって、用紙詰まりの解除操作を行う機会が減少し、用紙詰まりの解除操作を行うことによる画像形成装置１００の損傷を抑制することもできる。
【００７０】
なお、定着系電源コードが複数ある場合、制御部６５は、Ｓ２において、全ての定着系電源コード６２を介した電力供給が行われているか否かを判定し、全ての定着系電源コード６２を介した電力供給が行われていると判定した場合は、Ｓ３へ進み、いずれかの定着系電源コード６２を介した電力供給が遮断されたと判定した場合は、Ｓ６へ進む。
【００７１】
また、第１群定着ヒータが複数備えられる場合、第１群定着ヒータは、複数の第１群定着ヒータの全体として用紙の幅方向の全域を加熱できるように構成されることが好ましい。例えば、第１群定着ヒータとして２個の定着ヒータが備えられる場合、一方は用紙の幅方向の中央部を加熱し、他方は両端部を加熱するように構成することができる。これによれば、定着系電源コード６２を介した電力供給が遮断された場合でも、用紙の幅方向の全域のトナーを加熱することができる。よって、用紙の幅方向の全域のトナーの飛散を防止することができる。
【００７２】
また、定着系電源コード６２のそれぞれには、第２群定着ヒータとして複数の定着ヒータが接続されていることが好ましい。ウォームアップや画像形成処理等の画像形成装置１００の駆動状態に応じて用紙に対する単位時間当たりの加熱量の調整が容易になるとともに、単位時間当たりの加熱量を大きくして加熱速度を高くすることができる。
【００７３】
さらに、第１群定着ヒータとして単数の定着ヒータが備えられる場合に、第１群定着ヒータの定格電流は、いずれの第２群定着ヒータの定格電流とも異なることが好ましい。これによれば、定着系電源コード６２を介した電力供給が行われる通常時において、ウォームアップや画像形成処理等の画像形成装置１００の駆動状態に応じて、第１群定着ヒータ及び第２群定着ヒータを含む複数の定着ヒータ２１〜２４による合計の単位時間当たりの加熱量を調整しやすくなる。
【００７４】
また、第１群定着ヒータとして複数の定着ヒータが備えられる場合であっても、多数枚印刷ジョブを実行する場合は、通常時において第１群定着ヒータの駆動と停止とが第２閾値枚数毎に切り換えられることが好ましい。この構成によれば、第１群定着ヒータの温度が所定値以上に維持されるので、画像形成処理の実行中に定着系電源コード６２を介した電力供給が遮断されるという異常が発生した場合でも、第１群定着ヒータを早急に所望温度に到達させることができる。このため、第１群定着ヒータを用いて画像形成処理を早急に継続することができる。
【００７５】
さらに、定着ヒータ２１〜２３のそれぞれが加熱ヒータ７３を外部から加熱するように構成された場合、及び、第４定着ヒータ２４が加圧ローラ７２を外部から加熱するように構成された場合でも、画像形成装置１００は、画像形成処理の実行中に定着系電源コード６２を介した定着ヒータ２２〜２４への電力供給が遮断された場合でも給紙済み用紙からのトナーの飛散を防止できるという効果を奏することができる。
【００７６】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００７７】
２１  第１定着ヒータ（第１群定着ヒータ）
２２  第２定着ヒータ（第２群定着ヒータ）
２３  第３定着ヒータ（第２群定着ヒータ）
２４  第４定着ヒータ（第２群定着ヒータ）
６１  制御系電源コード
６２  定着系電源コード
６３  ＤＣ電源（直流電源）
６５  制御部
６６  第２遮断検出部（遮断検出部）
７０  定着装置
７１  定着ローラ
７２  加圧ローラ
７３  加熱ローラ
７４  定着ベルト
１００  画像形成装置
【図１】
2013140253.tif 000003
【図２】
2013140253.tif 000004
【図３】
2013140253.tif 000005
【図４】
2013140253.tif 000006
【図５】
2013140253.tif 000007